(57)【要約】【課題】片口金放電灯を光源とする照明器具の器具効率を、より向上することのできる照明器具を提供する。【解決手段】発光管２とベース部３とを有する片口金放電灯４と、反射面５を有する筺体６と，を備える照明器具１であって，発光管２に近いベース部３の端面７及び反射面５に対向するベース部３の外周面８の全光線反射率は、反射面５の全反射率以上である。また，発光管２に近いベース部３の端面７及び反射面５に対向するベース部３の外周面８の全光線反射率が８５％以上であり、かつ拡散反射率が１０％以下である。また、反射面５に対向するベース部３の外周面８が、発光管２に近いベース部３の端面７から離れるにつれて反射面５との距離が増加するものではない。【選択図】図１
2008140562.tif 000002
【特許請求の範囲】
【請求項１】
発光管とベース部とを有する片口金放電灯と、反射面を有する筺体と，を備える照明器具であって，発光管に近いベース部の端面及び反射面に対向するベース部の外周面の全光線反射率は、反射面の全反射率以上であることを特徴とする照明器具。
【請求項２】
発光管に近いベース部の端面及び反射面に対向するベース部の外周面の全光線反射率が８５％以上であり、かつ拡散反射率が１０％以下であることを特徴とする請求項１に記載の照明器具。
【請求項３】
反射面に対向するベース部の外周面が、発光管に近いベース部の端面から離れるにつれて反射面との距離が増加するものではないことを特徴とする、請求項１又は２のいずれかに記載の照明器具。
【発明の詳細な説明】
【技術分野】
【０００１】
本発明は、発光管とベース部とを有する片口金放電灯と、反射面を有する筺体と，を備える照明器具に関するものである。
【背景技術】
【０００２】
従来から、発光管とベース部とを有する片口金放電灯と、反射面を有する筺体と，を備える照明器具として特開２００１−３０７５１０号公報（特許文献１）に記載されている技術が参考として知られている。
【０００３】
これは、片口金放電灯とこのまわりを囲って配光制御する筺体とを有してなる埋込型照明器具であって，装着される片口金放電灯の定格に対応して、片口金放電灯と筺体との相対位置関係が可変とされるようになしたことで，片口金放電灯を変えても、器具効率を良く維持することができるとともに、遮光角を簡単に制御するようになしたものである。
【特許文献１】特開２００１−３０７５１０号公報
【発明の開示】
【発明が解決しようとする課題】
【０００４】
しかしながら、片口金放電灯を光源とする照明器具では、発光管に近いベース部の端面及び反射面に対向するベース部の外周面が，全光線反射率の低い耐熱性樹脂やセラミックで形成されているため、片口金放電灯や筺体からの光を効率よく反射することができず、照明器具の器具効率を低下させる可能性がある。
【０００５】
また、耐熱性樹脂やセラミックで形成された発光管に近いベース部の端面及び反射面に対向するベース部の外周面は、一般的に外観上の問題から白色系のものが多いため、片口金放電灯や筺体からの光を拡散反射させ、反射面とベース部の間に存在する空間，即ち隙間から、その拡散光が漏光し、器具効率を低下させる可能性がある。
【０００６】
本発明は、前記課題を解決するためになされたものであって、上記背景技術に鑑みてなされたものであり、その課題は、片口金放電灯を光源とする照明器具の器具効率を、より向上することのできる照明器具を提供することである。
【課題を解決するための手段】
【０００７】
上記課題を解決するために、請求項１に記載された発明は、発光管とベース部とを有する片口金放電灯と、反射面を有する筺体と，を備える照明器具であって，発光管に近いベース部の端面及び反射面に対向するベース部の外周面の全光線反射率は、反射面の全反射率以上であることを特徴とする照明器具である。
【０００８】
また請求項２に記載された発明は、発光管に近いベース部の端面及び反射面に対向するベース部の外周面の全光線反射率が８５％以上であり、かつ拡散反射率が１０％以下であることを特徴とする請求項１に記載の照明器具である。
【０００９】
また請求項３に記載された発明は、反射面に対向するベース部の外周面が、発光管に近いベース部の端面から離れるにつれて反射面との距離が増加するものではないことを特徴とする、請求項１又は２のいずれかに記載の照明器具である。
【発明の効果】
【００１０】
請求項１に記載された発明によれば、発光管に近いベース部の端面及び反射面に対向するベース部の外周面の全光線反射率は、反射面の全反射率以上であるので、片口金放電灯や筺体からの光を効率よく反射することができ、照明器具の器具効率を向上させることが可能となる。
【００１１】
請求項２に記載された発明によれば発光管に近いベース部の端面及び反射面に対向するベース部の外周面の全光線反射率が８５％以上であり、かつ拡散反射率が１０％以下であるので，発光管に近いベース部の端面及び反射面に対向するベース部の外周面に入射した光を拡散反射させることがなく，よって反射面とベース部の間に存在する空間，即ち隙間から、その拡散光が漏光することがなく，照明器具の器具効率をより向上させることが可能となる。
【００１２】
請求項３に記載された発明によれば、反射面に対向するベース部の外周面が、発光管に近いベース部の端面から離れるにつれて反射面との距離が増加するものではないので、反射面とベース部の間に存在する空間，即ち隙間から、その拡散光が漏光することが一層なく，照明器具の器具効率をさらに向上させることが可能となる。
【発明を実施するための最良の形態】
【００１３】
本願発明の一実施形態として、本願の請求項１〜３に対応した照明器具１について図１及び図２により説明する。
【００１４】
本実施形態の照明器具１は、図１に示すごとく、発光管２とベース部３とを有する片口金放電灯４と、反射面５を有する筺体６と，を備える照明器具１であって，発光管２に近いベース部３の端面７及び反射面５に対向するベース部３の外周面８の全光線反射率は、反射面５の全反射率以上である。
【００１５】
また，発光管２に近いベース部３の端面７及び反射面５に対向するベース部３の外周面８の全光線反射率が８５％以上であり、かつ拡散反射率が１０％以下である。
【００１６】
また、反射面５に対向するベース部３の外周面８が、発光管２に近いベース部３の端面７から離れるにつれて反射面５との距離が増加するものではない。
【００１７】
以下、本一実施形態による照明器具１を、より具体的詳細に説明する。
【００１８】
照明器具１は，片口金放電灯２と，筺体６と，ソケット部９と，図示しない点灯回路と，で構成される。
【００１９】
片口金放電灯２は，発光管２と，ベース部３と，口金部１０と，端子部１１と，で構成される。
【００２０】
発光管２は，二重螺旋式放電管であり，特開２００３−１７３７６０号公報に記載されている発光管を用いている。発光管は端部電極と反対側からみて時計回りに巻き回されている。
【００２１】
ベース部３は，外観円柱状のＰＥＴ樹脂の成形体であり，外部に露出する面全体（発光管２に近いベース部３の端面７及び反射面５に対向するベース部３の外周面８を含む）に蒸着により厚み１０〜１００μｍのアルミニウム製の皮膜が設けられている。
【００２２】
この状態で，アルミニウム製の皮膜が研磨にて表面処理がなされることで，外部に露出する面（発光管２に近いベース部３の端面７及び反射面５に対向するベース部３の外周面８を含む）は，いずれにおいても，全光線反射率が８５％以上であり、かつ拡散反射率が１０％以下となっている。
【００２３】
ベース部３は，その内部に発光管２の端部電極を収容し，固定している。また端部電極から引出されるリード線は，ベース部３及び口金部１０を通して，端子部１１に接続される。
【００２４】
また，ベース部３の外周面８は特にテーパー加工されているものではない。
【００２５】
口金部１０は，外観円柱状のＰＥＴ樹脂の成形体である。
【００２６】
端子部１１は，導電性の金属端子であり，ソケット部９より電力の供給を受ける。
【００２７】
筺体６は，両端が開口してなる薄肉鼓状の外観をなし，その内部に片口金放電灯２が収容される。本実施形態では厚み１ｍｍで両端部間の距離が１５０ｍｍである，適宜顔料又は染料が添加されたＰＢＴ樹脂の成形体であり，内径１５０ｍｍの大開口端部と内径１２０ｍｍの小開口端部とを，有している。また大開口端部から小開口端部に向かって１００ｍｍの位置に内径１００ｍｍの最小内径部を有している。
【００２８】
また内周面のうち最小内径部から大開口端部にわたる面は，添加された顔料若しくは染料による寄与並びに研磨にて表面処理がなされることによる寄与で，全光線反射率が７５％以下となっており，反射面５として機能する。
【００２９】
ソケット部９は，外観直方体状で，端子部１１を収納し電力供給する凹部（図示しない）を有している。ソケット部９自体は筺体６と固定片（図示しない）によって一体化されており，片口金放電灯４の口金部１０が係り合うことで固定されるようになっている。
この状態で，反射面５に対向するベース部３の外周面８が、発光管２に近いベース部３の端面７から離れるにつれても，反射面５との距離が一定であり，増加するものではないようになされている。
【００３０】
以下、表１に示す性状の照明器具１について，器具効率に関する評価結果を，本願発明の実施例１〜８、比較例１〜２について、説明する。
【００３１】
【表１】
2008140562.tif 000003
【００３２】
以上に示すように，本実施形態によれば、発光管２に近いベース部３の端面７及び反射面５に対向するベース部３の外周面８の全光線反射率は、反射面５の全反射率以上であるので、図２の点線で示す如く，片口金放電灯４や反射面５からの光を効率よく反射することができ、照明器具１の器具効率を向上させることが可能となる。
【００３３】
また，本実施形態によれば，発光管２に近いベース部３の端面７及び反射面５に対向するベース部３の外周面８の全光線反射率が８５％以上であり、かつ拡散反射率が１０％以下であるので，発光管２に近いベース部３の端面７及び反射面５に対向するベース部３の外周面８に入射した光を拡散反射させることがなく，よって反射面５とベース部３の間に存在する空間，即ち隙間から、その拡散光が漏光することがなく，照明器具１の器具効率をより向上させることが可能となる。
【００３４】
また，本実施形態によれば，反射面５に対向するベース部３の外周面８が、発光管２に近いベース部３の端面７から離れるにつれて反射面５との距離が増加するものではないので、反射面５とベース部３の間に存在する空間，即ち隙間から、その拡散光が漏光することが一層なく，照明器具１の器具効率をさらに向上させることが可能となる。
【図面の簡単な説明】
【００３５】
【図１】本願発明の一実施形態における照明器具の縦断面図
【図２】本願発明の一実施形態における照明器具の縦断面部分拡大図
【図３】本願発明の一実施形態における片口金放電灯の正面図
【符号の説明】
【００３６】
１      照明器具
２      発光管
３      ベース部
４      片口金放電灯
５      反射面
６      筺体
７      端面
８      外周面
【図１】
2008140562.tif 000004
【図２】
2008140562.tif 000005
【図３】
2008140562.tif 000006